(57)【特許請求の範囲】
【請求項１】
木造建築物の入隅に設けられて板材を保持するための入隅用保持材であって、
第１基板と、第２基板と、第１保持板と、第２保持板とを有し、
前記第１基板は、前記入隅を構成する一方の面に沿って取り付け可能な平面部を有し、
前記第２基板は、前記入隅を構成する他方の面に沿って取り付け可能な平面部を有し、
前記第１保持板は、前記第１基板に設けられ、前記第２基板に沿って配置される板材を前記第２基板との間で弾力的に挟んで保持可能な保持部を有し、
前記第２保持板は、前記第１基板に設けられ、前記第１基板に沿って配置される板材を前記第１基板との間で弾力的に挟んで保持可能な保持部を有し、
前記第１基板は、前記第１保持板が設けられた側と前記第２保持板が設けられた側とに分割されており、前記第１保持板が設けられた側と前記第２保持板が設けられた側とは互いに縁部で重なるようになっていることを、
特徴とする入隅用保持材。
【請求項２】
前記保持部は円筒面を有し、その円筒面で前記板材を保持することを、特徴とする請求項１記載の入隅用保持材。
【請求項３】
木造建築物の入隅を構成する２本の柱に壁パネルが取り付けられた壁構造であって、
請求項１または２記載の入隅用保持材を有し、
前記第１基板は平面部で前記入隅の一方の柱に取り付けられ、
前記第２基板は平面部で前記入隅の他方の柱に取り付けられ、
前記第１保持板は保持部で壁パネルを前記第２基板との間で弾力的に挟んで保持し、
前記第２保持板は保持部で壁パネルを前記第１基板との間で弾力的に挟んで保持していることを、
特徴とする壁構造。
【発明の詳細な説明】
【０００１】
【発明の属する技術分野】
本発明は、木造建築物の入隅に設けられて板材を保持するための入隅用保持材およびその入隅用保持材を用いた壁構造に関する。
【０００２】
【従来の技術】
従来の入隅用保持材としては、柱に固定されて壁パネルを支持し固定するのに使用されるものがある。
【０００３】
【発明が解決しようとする課題】
しかしながら、従来の技術では、壁パネルは釘を用いて固定され、端部にコーキングが設けられているため、老化した建物を解体する場合には解体しにくく、また、壁パネルのみを交換しようとする場合には交換に手間がかかるという課題があった。
【０００４】
本発明は、このような従来の課題に着目してなされたもので、建物の解体および壁パネルの交換を容易にすることができる入隅用保持材および壁構造を提供することを目的としている。
【０００５】
【課題を解決するための手段】
上記目的を達成するために、請求項１の本発明に係る入隅用保持材は、木造建築物の入隅に設けられて板材を保持するための入隅用保持材であって、第１基板と、第２基板と、第１保持板と、第２保持板とを有し、前記第１基板は、前記入隅を構成する一方の面に沿って取り付け可能な平面部を有し、前記第２基板は、前記入隅を構成する他方の面に沿って取り付け可能な平面部を有し、前記第１保持板は、前記第１基板に設けられ、前記第２基板に沿って配置される板材を前記第２基板との間で弾力的に挟んで保持可能な保持部を有し、前記第２保持板は、前記第１基板に設けられ、前記第１基板に沿って配置される板材を前記第１基板との間で弾力的に挟んで保持可能な保持部を有し、前記第１基板は、前記第１保持板が設けられた側と前記第２保持板が設けられた側とに分割されており、前記第１保持板が設けられた側と前記第２保持板が設けられた側とは互いに縁部で重なるようになっていることを、特徴とする。
【０００６】
請求項１の本発明に係る入隅用保持材は、第１基板が平面部で入隅の一方の面に取り付けられ、第２基板が平面部で入隅の他方の面に取り付けられる。第１保持板は、保持部で壁パネルを第２基板との間で弾力的に挟んで保持する。第２保持板は、保持部で壁パネルを第１基板との間で弾力的に挟んで保持する。このため、各壁パネルの取付け、取外しが容易であり、建物の解体および壁パネルの交換を容易に行うことができる。また、第１保持板および第２保持板により壁パネルとの間に壁紙を仮止めすることができるので、壁紙の張り付けを容易にすることができる。なお、第１基板および第２基板は、通常、直角の入隅に取り付けるため、互いに直角をなしていることが好ましい。本明細書中で、「板材」の概念には、平板のほか、パネルや、石膏ボードを含む。
【０００７】
第１の本発明に関する入隅用保持材は、木造建築物の入隅に設けられて板材を保持するための入隅用保持材であって、第１基板と、第２基板と、第１保持板と、第２保持板とを有し、前記第１基板は、前記入隅を構成する一方の面に沿って取り付け可能な平面部を有し、前記第２基板は、前記入隅を構成する他方の面に沿って取り付け可能な平面部を有し、前記第１保持板は、前記第１基板または前記第２基板に設けられ、前記第２基板に沿って配置される板材を前記第２基板との間で弾力的に挟んで保持可能な保持部を有し、前記第２保持板は、前記第１保持板に設けられ、前記第１基板に沿って配置される板材を前記第１基板との間で弾力的に挟んで保持可能な保持部を有することを、特徴とする。
【０００８】
第１の本発明に関する入隅用保持材は、第１基板が平面部で入隅の一方の面に取り付けられ、第２基板が平面部で入隅の他方の面に取り付けられる。第１保持板は、保持部で壁パネルを第２基板との間で弾力的に挟んで保持する。第２保持板は、保持部で壁パネルを第１基板との間で弾力的に挟んで保持する。このため、各壁パネルの取付け、取外しおよび交換を容易にすることができる。また、第１保持板および第２保持板により壁パネルとの間に壁紙を仮止めすることができるので、壁紙の張り付けを容易にすることができる。第１の本発明に関する入隅用保持材では、第２保持板で保持される壁パネルの端部で第１保持板を押すことにより、第１保持板が第２基板の方向に押されるため、第１保持板による壁パネルの保持力を高めることができる。
【０００９】
請求項２の本発明に係る入隅用保持材は、請求項１の入隅用保持材において、前記保持部は円筒面を有し、その円筒面で前記板材を保持することを、特徴とする。また、第１の本発明に関する入隅用保持材は、前記第１基板と前記第２基板と前記第１保持板と前記第２保持板とは一体的に構成され、前記保持部は円筒面を有し、その円筒面で前記板材を保持してもよい。なお、「円筒面」の概念には、断面が楕円形のものや、長円形のものの側面を含む。
【００１０】
第１の本発明に関する入隅用保持材は、第１基板と第２基板と第１保持板と第２保持板とが一体的に構成されるため、組立作業の必要がなく、製造が容易である。また、請求項２の本発明に係る入隅用保持材および第１の本発明に関する入隅用保持材は、保持部が円筒面で板材を保持するため、保持部と壁パネルとの間に隙間があっても、隙間は保持部の曲面により隠され、目立たなくすることができる。さらに、保持部が円筒面で板材を保持するため、壁パネルを保持部と第１基板または第２基板との間に差し込んだり引き抜いたりする際、保持部が壁パネルに引っ掛かりにくく、壁パネルの取付けおよび取外しを容易にすることができる。
【００１１】
第２の本発明に関する入隅用保持材は、木造建築物の入隅に設けられて板材を保持するための入隅用保持材であって、基板と、第１保持板と、第２保持板とを有し、前記基板は、前記入隅を構成する一方の面に沿って取り付け可能な平面部を有し、前記第１保持板は、前記基板に設けられ、前記入隅を構成する他方の面に沿って配置される板材を前記他方の面との間で弾力的に挟んで保持可能な保持部を有し、前記第２保持板は、前記基板に設けられ、前記基板に沿って配置される板材を前記基板との間で弾力的に挟んで保持可能な保持部を有することを、特徴とする。
【００１２】
第２の本発明に関する入隅用保持材は、基板が第１保持板を第２保持板よりコーナー側に配置して平面部で入隅の一方の面に取り付けられる。第１保持板は、保持部で壁パネルを入隅の他方の面との間で弾力的に挟んで保持する。第２保持板は、保持部で壁パネルを基板との間で弾力的に挟んで保持する。このため、各壁パネルの取付け、取外しおよび交換を容易にすることができる。また、第１保持板および第２保持板により壁パネルとの間に壁紙を仮止めすることができるので、壁紙の張り付けを容易にすることができる。
【００１３】
第３の本発明に関する入隅用保持材は、木造建築物の入隅に設けられて板材を保持するための入隅用保持材であって、基板と、第１保持板と、第２保持板とを有し、前記基板は、前記入隅を構成する一方の面に沿って取り付け可能な平面部を有し、前記第１保持板は、前記基板に設けられ、前記入隅を構成する他方の面に沿って配置される板材を前記他方の面との間で弾力的に挟んで保持可能な保持部を有し、前記第２保持板は、前記第１保持板に設けられ、前記基板に沿って配置される板材を前記基板との間で弾力的に挟んで保持可能な保持部を有することを、特徴とする。
【００１４】
第３の本発明に関する入隅用保持材は、基板が第１保持板を第２保持板よりコーナー側に配置して平面部で入隅の一方の面に取り付けられる。第１保持板は、保持部で壁パネルを入隅の他方の面との間で弾力的に挟んで保持する。第２保持板は、保持部で壁パネルを基板との間で弾力的に挟んで保持する。このため、各壁パネルの取付け、取外しおよび交換を容易にすることができる。また、第１保持板および第２保持板により壁パネルとの間に壁紙を仮止めすることができるので、壁紙の張り付けを容易にすることができる。第３の本発明に関する入隅用保持材では、第２保持板で保持される壁パネルの端部で第１保持板を押すことにより、第１保持板が入隅の他方の面の方向に押されるため、第１保持板による壁パネルの保持力を高めることができる。
【００１５】
第４の本発明に関する入隅用保持材は、木造建築物の入隅に設けられて板材を保持するための入隅用保持材であって、基板と、第１保持板と、第２保持板とを有し、前記基板は、前記入隅を構成する一方の面に沿って取り付け可能な平面部を有し、前記第１保持板は、前記基板に設けられ、前記入隅を構成する他方の面に沿って配置される板材を前記他方の面との間で弾力的に挟んで保持可能な保持部を有し、前記第２保持板は、前記第１保持板に設けられ、前記入隅を構成する一方の面に沿って配置される板材を前記一方の面との間で弾力的に挟んで保持可能な保持部を有することを、特徴とする。
【００１６】
第４の本発明に関する入隅用保持材は、基板が第１保持板を第２保持板よりコーナー側に配置して平面部で入隅の一方の面に取り付けられる。第１保持板は、保持部で壁パネルを入隅の他方の面との間で弾力的に挟んで保持する。第２保持板は、保持部で壁パネルを入隅の一方の面との間で弾力的に挟んで保持する。このため、各壁パネルの取付け、取外しおよび交換を容易にすることができる。また、第１保持板および第２保持板により壁パネルとの間に壁紙を仮止めすることができるので、壁紙の張り付けを容易にすることができる。第４の本発明に関する入隅用保持材では、第２保持板で保持される壁パネルの端部で第１保持板を押すことにより、第１保持板が入隅の他方の面の方向に押されるため、第１保持板による壁パネルの保持力を高めることができる。
【００１７】
第２、第３または第４の本発明に関する入隅用保持材では、前記第１基板と前記第２基板と前記第１保持板と前記第２保持板とは一体的に構成され、前記保持部は円筒面を有し、その円筒面で前記板材を保持することが好ましい。
【００１８】
請求項３の本発明に係る壁構造は、木造建築物の入隅を構成する２本の柱に壁パネルが取り付けられた壁構造であって、請求項１または２の入隅用保持材を有し、前記第１基板は平面部で前記入隅の一方の柱に取り付けられ、前記第２基板は平面部で前記入隅の他方の柱に取り付けられ、前記第１保持板は保持部で壁パネルを前記第２基板との間で弾力的に挟んで保持し、前記第２保持板は保持部で壁パネルを前記第１基板との間で弾力的に挟んで保持していることを、特徴とする。
【００１９】
第１の本発明に関する壁構造は、木造建築物の入隅を構成する２本の柱に壁パネルが取り付けられた壁構造であって、第２または第３の本発明に関する入隅用保持材を有し、前記基板は前記第１保持板を前記第２保持板よりコーナー側に配置して平面部で前記入隅の一方の柱に取り付けられ、前記第１保持板は保持部で壁パネルを前記入隅の他方の柱との間で弾力的に挟んで保持し、前記第２保持板は保持部で壁パネルを前記基板との間で弾力的に挟んで保持していることを、特徴とする。
【００２０】
第２の本発明に関する壁構造は、木造建築物の入隅を構成する２本の柱に壁パネルが取り付けられた壁構造であって、第４の本発明に関する入隅用保持材を有し、前記基板は前記第１保持板を前記第２保持板よりコーナー側に配置して平面部で前記入隅の一方の柱に取り付けられ、前記第１保持板は保持部で壁パネルを前記入隅の他方の柱との間で弾力的に挟んで保持し、前記第２保持板は保持部で壁パネルを前記入隅の一方の柱との間で弾力的に挟んで保持していることを、特徴とする。
【００２１】
本発明に係る壁構造は、壁パネルが取外し可能に取り付けられるため、建物の壁部分の解体や壁パネルの交換を容易にすることができる。
【００２２】
【発明の実施の形態】
以下、図面に基づき本発明の実施の形態および本発明に関する第１乃至第６の実施の形態について説明する。図１および図２は、本発明に関する第１の実施の形態を示している。図１に示すように、木造建築物の壁構造が、入隅を構成する２本の柱１，２に壁パネル３が取り付けられて構成されている。壁パネル３は、石膏ボードから成る。壁構造は、入隅用保持材１０を有している。入隅用保持材１０は、木造建築物の入隅に設けられて壁パネル３を保持するための細長い建材である。入隅用保持材１０は、第１基板１１と、第２基板１２と、第１保持板１３と、第２保持板１４とから一体的に成っている。入隅用保持材１０は、プラスチックから成り、弾力的に撓む可撓性を有している。
【００２３】
図１および図２に示すように、第１基板１１は、細長い板状であって、入隅を構成する一方の面４に沿って取り付け可能な平面部１１ａを有する。第２基板１２は、細長い板状であって、入隅を構成する他方の面５に沿って取り付け可能な平面部１２ａを有する。第１基板１１および第２基板１２は、長さ方向縁部で互いに結合し、互いに直角をなしている。
【００２４】
第１保持板１３は、第１基板１１および第２基板１２の内側のコーナー１５に設けられる。第１保持板１３は、コーナー１５側と反対側の縁部に沿って保持部１６を有する。第１保持板１３は、コーナー１５と保持部１６との中間位置１７で折れ曲がり、保持部１６側が第２基板１２とほぼ平行になっている。保持部１６は、円筒面を有する。保持部１６は、第２基板１２に沿って配置される壁パネル３を第２基板１２との間で円筒面により弾力的に挟んで保持可能となっている。
【００２５】
第２保持板１４は、第１保持板１３に、折れ曲がった中間位置１７で設けられる。第２保持板１４は、第１保持板１３と反対側の縁部に沿って保持部１８を有する。第２保持板１４は、第１基板１１とほぼ平行になっている。保持部１８は、円筒面を有する。保持部１８は、第１基板１１に沿って配置される壁パネル３を第１基板１１との間で円筒面により弾力的に挟んで保持可能となっている。
【００２６】
第１基板１１は、平面部１１ａでビスにより入隅の一方の柱１に取り付けられる。第２基板１２は、平面部１２ａでビスにより入隅の他方の柱２に取り付けられる。第１保持板１３は、保持部１６で壁パネル３を第２基板１２との間で弾力的に挟んで保持している。第２保持板１４は、保持部１８で壁パネル３を第１基板１１との間で弾力的に挟んで保持している。
【００２７】
入隅用保持材１０は、第１保持板１３の保持部１６で壁パネル３を第２基板１２との間で弾力的に挟んで保持し、第２保持板１４の保持部１８で壁パネル３を第１基板１１との間で弾力的に挟んで保持するため、各壁パネル３の取付け、取外しを容易にすることができる。壁構造は、壁パネル３が取外し可能に取り付けられるため、建物の壁部分の解体や壁パネル３の交換を容易にすることができる。また、第１保持板１３および第２保持板１４により壁パネル３との間に壁紙またはクロスを仮止めすることができるので、壁紙の張り付けを容易にすることができる。入隅用保持材１０では、第２保持板１４で保持される壁パネル３の端部で第１保持板１３を押すことにより、第１保持板１３が第２基板１２の方向に押されるため、第１保持板１３による壁パネル３の保持力を高めることができる。
【００２８】
入隅用保持材１０は、第１基板１１と第２基板１２と第１保持板１３と第２保持板１４とが一体的に構成されるため、組立作業の必要がなく、製造が容易である。また、保持部１６，１８が円筒面で壁パネル３を保持するため、保持部１６，１８と壁パネル３との間に隙間があっても、隙間は保持部１６，１８の曲面により隠され、目立たなくすることができる。さらに、保持部１６，１８が円筒面で壁パネル３を保持するため、壁パネル３を保持部１６，１８と第１基板１１または第２基板１２との間に差し込んだり引き抜いたりする際、保持部１６，１８が壁パネル３に引っ掛かりにくく、壁パネル３の取付けおよび取外しを容易にすることができる。
【００２９】
次に、本発明に関する第２の実施の形態について説明する。図３は、本発明に関する第２の実施の形態を示している。図３に示すように、入隅用保持材２０は、第１基板２１と、第２基板２２と、第１保持板２３と、第２保持板２４とから一体的に成っている。入隅用保持材２０は、プラスチックから成り、弾力的に撓む可撓性を有している。第１基板２１は、細長い板状であって、入隅を構成する一方の面４に沿って取り付け可能な平面部２１ａを有する。第２基板２２は、細長い板状であって、入隅を構成する他方の面５に沿って取り付け可能な平面部２２ａを有する。第１基板２１および第２基板２２は、長さ方向縁部で互いに結合し、互いに直角をなしている。
【００３０】
第１保持板２３は、細長い平板状であって、第１基板２１にほぼ垂直に設けられる。第１保持板２３は、第１基板２１と反対側の縁部に沿って保持部２６を有する。保持部２６は、第２基板２２に沿って配置される壁パネル３を第２基板２２との間で弾力的に挟んで保持可能となっている。第２保持板２４は、第１保持板２３の中間位置２７にほぼ垂直に設けられる。第２保持板２４は、第１保持板２３と反対側の縁部に沿って保持部２８を有する。保持部２８は、第１基板２１に沿って配置される壁パネル３を第１基板２１との間で弾力的に挟んで保持可能となっている。入隅用保持材２０は、木造建築物の入隅に設けられて壁パネル３を保持する。
【００３１】
入隅用保持材２０の使用方法および作用、効果は、本発明に関する第１の実施の形態の入隅用保持材１０と同様であって、重複した説明を省略する。
【００３２】
次に、本発明に関する第３の実施の形態について説明する。図４は、本発明に関する第３の実施の形態を示している。木造建築物の壁構造が、入隅を構成する２本の柱１，２（図１参照）に壁パネル３が取り付けられて構成されている。壁構造は、入隅用保持材３０を有している。入隅用保持材３０は、木造建築物の入隅に設けられて壁パネル３を保持するための細長い建材である。入隅用保持材３０は、第１基板３１と、第２基板３２と、第１保持板３３と、第２保持板３４とから一体的に成っている。入隅用保持材３０は、プラスチックから成り、弾力的に撓む可撓性を有している。
【００３３】
図４に示すように、第１基板３１は、細長い板状であって、入隅を構成する一方の面４（図１参照）に沿って取り付け可能な平面部３１ａを有する。第２基板３２は、細長い板状であって、入隅を構成する他方の面５（図１参照）に沿って取り付け可能な平面部３２ａを有する。第１基板３１および第２基板３２は、長さ方向縁部で互いに結合し、互いに直角をなしている。
【００３４】
第１保持板３３は、第１基板３１に設けられる。第１保持板３３は、第２基板３２とほぼ平行になっている。第１保持板３３は、第１基板３１側と反対側の縁部に沿って保持部３６を有する。保持部３６は、円筒面を有する。保持部３６は、第２基板３２に沿って配置される壁パネル３を第２基板３２との間で弾力的に挟んで保持可能となっている。第２保持板３４は、第１基板３１側と反対側の縁部に沿って保持部３８を有する。第２保持板３４は、第１基板３１と保持部３８との中間位置で折れ曲がり、保持部３８側が第１基板３１とほぼ平行になっている。保持部３８は、円筒面を有する。保持部３８は、第１基板３１に沿って配置される壁パネル３を第１基板３１との間で弾力的に挟んで保持可能となっている。
【００３５】
第１基板３１は、平面部３１ａでビスにより入隅の一方の柱１に取り付けられる。第２基板３２は、平面部３２ａでビスにより入隅の他方の柱２に取り付けられる。第１保持板３３は、保持部３６で壁パネル３を第２基板３２との間で弾力的に挟んで保持している。第２保持板３４は、保持部３８で壁パネル３を第１基板３１との間で弾力的に挟んで保持している。
【００３６】
入隅用保持材３０は、第１保持板３３の保持部３６で壁パネル３を第２基板３２との間で弾力的に挟んで保持し、第２保持板３４の保持部３８で壁パネル３を第１基板３１との間で弾力的に挟んで保持するため、各壁パネル３の取付け、取外しを容易に行うことができる。壁構造は、壁パネル３が取外し可能に取り付けられるため、建物の壁部分の解体や壁パネル３の交換を容易にすることができる。また、第１保持板３３および第２保持板３４により壁パネル３との間に壁紙を仮止めすることができるので、壁紙の張り付けを容易にすることができる。
【００３７】
入隅用保持材３０は、第１基板３１と第２基板３２と第１保持板３３と第２保持板３４とが一体的に構成されるため、組立作業の必要がなく、製造が容易である。また、保持部３６，３８が円筒面で壁パネル３を保持するため、保持部３６，３８と壁パネル３との間に隙間があっても、隙間は保持部３６，３８の曲面により隠され、目立たなくすることができる。さらに、保持部３６，３８が円筒面で壁パネル３を保持するため、壁パネル３を保持部３６，３８と第１基板３１または第２基板３２との間に差し込んだり引き抜いたりする際、保持部３６，３８が壁パネル３に引っ掛かりにくく、壁パネル３の取付けおよび取外しを容易にすることができる。
【００３８】
次に、本発明の実施の形態について説明する。図５は、本発明の実施の形態を示している。図５に示すように、入隅用保持材４０は、第１基板４１と、第２基板４２と、第１保持板４３と、第２保持板４４とから一体的に成っている。入隅用保持材４０は、プラスチックから成り、弾力的に撓む可撓性を有している。本発明の第４の実施の形態の入隅用保持材４０は、第１基板４１が、第１保持板１３が設けられた側４１ａと第２保持板１４が設けられた側４１ｂとに分割されている。第１基板４１は、細長い板状であって、第１保持板側４１ａと第２保持板側４１ｂとに縦方向に分割されている。第１基板４１の第１保持板側４１ａおよび第２保持板側４１ｂは、入隅を構成する一方の面４（図１参照）に沿って取り付け可能な平面部４１ｃ，４１ｄをそれぞれ有する。第１保持板側４１ａおよび第２保持板側４１ｂとは、互いに長さ方向に沿った縁部で重なるようになっている。第２基板４２は、細長い板状であって、入隅を構成する他方の面５（図１参照）に沿って取り付け可能な平面部４２ａを有する。第１基板４１の第１保持板側４１ａおよび第２基板４２は、長さ方向縁部で互いに結合し、互いに直角をなしている。
【００３９】
第１保持板４３は、縁部側と反対側の縁部に沿って保持部４６を有する。第１保持板４３は、第１基板４１にほぼ垂直に設けられ、第１基板４１側から保持部４６側にかけて第２基板４２との間隔が狭くなるようやや傾斜している。保持部４６は、第２基板４２に沿って配置される壁パネル３を第２基板４２との間で弾力的に挟んで保持可能となっている。第２保持板４４は、第１基板４１側と反対側の縁部に沿って保持部４８を有する。第２保持板４４は、第１基板４１と保持部４８との中間位置で折れ曲がり、保持部４８側が第１基板４１とほぼ平行となっている。第２保持板４４は、第１基板４１側から保持部４８側にかけて第１基板４１との間隔が狭くなるようやや傾斜している。保持部４８は、第１基板４１に沿って配置される壁パネル３を第１基板４１との間で弾力的に挟んで保持可能となっている。
【００４０】
入隅用保持材４０の使用方法および作用、効果は、本発明に関する第３の実施の形態の入隅用保持材３０と同様であって、重複した説明を省略する。
【００４１】
次に、本発明に関する第４の実施の形態について説明する。図６は、本発明に関する第４の実施の形態を示している。図６に示すように、木造建築物の壁構造が、入隅を構成する２本の柱１，２（図１参照）に壁パネル３が取り付けられて構成されている。壁構造は、入隅用保持材５０を有している。入隅用保持材５０は、木造建築物の入隅に設けられて壁パネル３を保持するための細長い建材である。入隅用保持材５０は、基板５１と、第１保持板５２と、第２保持板５３とから一体的に成っている。入隅用保持材５０は、プラスチックから成り、弾力的に撓む可撓性を有している。入隅用保持材５０は、本発明の第３の実施の形態の入隅用保持材３０から第２基板３２を除いた構成を有している。
【００４２】
図６に示すように、基板５１は、細長い板状であって、入隅を構成する一方の面４（図１参照）に沿って取り付け可能な平面部５１ａを有する。第１保持板５２は、基板５１にほぼ垂直に設けられ、第２保持板５３の反対側にやや傾斜している。第１保持板５２は、基板５１側と反対側の縁部に沿って保持部５４を有する。保持部５４は、円筒面を有する。保持部５４は、入隅を構成する他方の面５（図１参照）に沿って配置される壁パネル３を他方の面５との間で円筒面により弾力的に挟んで保持可能となっている。
【００４３】
第２保持板５３は、基板５１にほぼ垂直に設けられる。第２保持板５３は、基板５１と反対側の縁部に沿って保持部５５を有する。第２保持板５３は、基板５１と保持部５５との中間位置５６で折れ曲がり、保持部５５側が基板５１とほぼ平行になっている。第２保持板５３は、折れ曲がった中間位置５６から保持部５５側にかけて基板５１との間隔が狭くなるようやや傾斜している。保持部５５は、円筒面を有する。保持部５５は、基板５１に沿って配置される壁パネル３を基板５１との間で円筒面により弾力的に挟んで保持可能となっている。
【００４４】
入隅用保持材５０は、基板５１は、第１保持板５２を第２保持板５３よりコーナー側に配置し、コーナーに付けて平面部５１ａでビスにより入隅の一方の柱に取り付けられる。第１保持板５２は、保持部５４で壁パネル３を入隅の他方の面との間で弾力的に挟んで保持している。第２保持板５３は、保持部５５で壁パネル３を基板５１との間で弾力的に挟んで保持している。
【００４５】
入隅用保持材５０は、第１保持板５２の保持部５４で壁パネル３を他方の柱との間で弾力的に挟んで保持し、第２保持板５３の保持部５５で壁パネル３を基板５１との間で弾力的に挟んで保持するため、各壁パネル３の取付け、取外しを容易にすることができる。壁構造は、壁パネル３が取外し可能に取り付けられるため、建物の壁部分の解体や壁パネル３の交換を容易にすることができる。また、第１保持板５２および第２保持板５３により壁パネル３との間に壁紙を仮止めすることができるので、壁紙の張り付けを容易にすることができる。
【００４６】
次に、本発明に関する第５の実施の形態について説明する。図７は、本発明に関する第５の実施の形態を示している。図７に示すように、入隅用保持材６０は、基板６１と、第１保持板６２と、第２保持板６３とから一体的に成っている。入隅用保持材６０は、プラスチックから成り、弾力的に撓む可撓性を有している。入隅用保持材６０は、本発明に関する第２の実施の形態の入隅用保持材２０から第２基板２２を除いた構成を有している。
【００４７】
図７に示すように、基板６１は、細長い板状であって、入隅を構成する一方の面４（図１参照）に沿って取り付け可能な平面部６１ａを有する。第１保持板６２は、基板６１にほぼ垂直に設けられ、第２保持板６３と反対側にやや傾斜している。第１保持板６２は、基板６１側と反対側の縁部に沿って保持部６４を有する。保持部６４は、円筒面を有する。保持部６４は、入隅を構成する他方の面５（図１参照）に沿って配置される壁パネル３を他方の面５との間で円筒面により弾力的に挟んで保持可能となっている。
【００４８】
第２保持板６３は、第１保持板６２と反対側の縁部に沿って保持部６５を有する。第２保持板６３は、第１保持板６２にほぼ垂直に設けられ、第１保持板６２側から保持部６５側にかけて基板６１との間隔が狭くなるようやや傾斜している。保持部６５は、円筒面を有する。保持部６５は、基板６１に沿って配置される壁パネル３を基板６１との間で円筒面により弾力的に挟んで保持可能となっている。
【００４９】
入隅用保持材６０の使用方法および作用、効果は、本発明に関する第１の実施の形態の入隅用保持材１０と同様であって、重複した説明を省略する。
【００５０】
次に、本発明に関する第６の実施の形態について説明する。図８は、本発明に関する第６の実施の形態を示している。図８に示すように、木造建築物の壁構造が、入隅を構成する２本の柱１，２（図１参照）に壁パネル３が取り付けられて構成されている。壁構造は、入隅用保持材７０を有している。入隅用保持材７０は、木造建築物の入隅に設けられて壁パネル３を保持するための細長い建材である。入隅用保持材７０は、基板７１と、第１保持板７２と、第２保持板７３とから一体的に成っている。入隅用保持材７０は、プラスチックから成り、弾力的に撓む可撓性を有している。
【００５１】
図８に示すように、基板７１は、細長い板状であって、入隅を構成する一方の面４に沿って取り付け可能な平面部７１ａを有する。第１保持板７２は、基板７１の長さ方向に沿った縁部にほぼ垂直で、やや鋭角をなすよう設けられる。第１保持板７２は、基板７１側と反対側の縁部に沿って保持部７４を有する。保持部７４は、円筒面を有する。保持部７４は、入隅を構成する他方の面５に沿って配置される壁パネル３を他方の面５との間で円筒面により弾力的に挟んで保持可能となっている。
【００５２】
第２保持板７３は、第１保持板７２にほぼ垂直に設けられ、第１保持板７２の保持部７４の反対側にやや傾斜している。第２保持板７３は、第１保持部７４と反対側の縁部に沿って保持部７５を有する。保持部７５は、円筒面を有する。保持部７５は、入隅を構成する一方の面４に沿って配置される壁パネル３を一方の面４との間で円筒面により弾力的に挟んで保持可能となっている。入隅用保持材７０は、木造建築物の入隅に設けられて壁パネル３を保持する。
【００５３】
入隅用保持材７０は、基板７１が第１保持板７２を第２保持板７３よりコーナー側に配置し、コーナーに付けて平面部７１ａでビスにより入隅の一方の面４に取り付けられる。第１保持板７２は、保持部７４で壁パネル３を入隅の他方の面５との間で弾力的に挟んで保持する。第２保持板７３は、保持部７５で壁パネル３を入隅の一方の面４との間で弾力的に挟んで保持する。このため、各壁パネル３の取付け、取外しおよび交換を容易にすることができる。また、第１保持板７２および第２保持板７３により壁パネル３との間に壁紙を仮止めすることができるので、壁紙の張り付けを容易にすることができる。入隅用保持材７０では、第２保持板７３で保持される壁パネル３の端部で第１保持板７２を押すことにより、第１保持板７２が入隅の他方の面５の方向に押されるため、第１保持板７２による壁パネル３の保持力を高めることができる。
【００５４】
【発明の効果】
本発明に係る入隅用保持材および壁構造によれば、建物の解体および壁パネルの取付け、交換を容易にすることができる。
【図面の簡単な説明】
【図１】  本発明に関する第１の実施の形態の入隅用保持材および壁構造を示す横断面図である。
【図２】  図１に示す入隅用保持材の斜視図である。
【図３】  本発明に関する第２の実施の形態の入隅用保持材および壁構造を示す平面図である。
【図４】  本発明に関する第３の実施の形態の入隅用保持材および壁構造を示す平面図である。
【図５】  本発明の実施の形態の入隅用保持材を示す平面図である。
【図６】  本発明に関する第４の実施の形態の入隅用保持材および壁構造を示す平面図である。
【図７】  本発明に関する第５の実施の形態の入隅用保持材および壁構造を示す平面図である。
【図８】  本発明に関する第６の実施の形態の入隅用保持材および壁構造を示す平面図である。
【符号の説明】
１，２  柱
３  壁パネル
１０，２０，３０，４０，５０，６０，７０  入隅用保持材
１１  第１基板
１２  第２基板
１３  第１保持板
１４  第２保持板
１６，１８  保持部
【図１】
0004387053.tif 000002
【図２】
0004387053.tif 000003
【図３】
0004387053.tif 000004
【図４】
0004387053.tif 000005
【図５】
0004387053.tif 000006
【図６】
0004387053.tif 000007
【図７】
0004387053.tif 000008
【図８】
0004387053.tif 000009